(57)【要約】【課題】指先を取付具に引っ掛けて、冷気整流部材を冷気吹出口から容易に取り出せるようにしたオープンショーケースを得る。【解決手段】ハニカム構造の冷気整流部材５を冷気吹出口４に着脱自在に装着する取付具６を有する。取付具６は、線材で形成された前部材１５と後部材１６とからなる。前部材１５は、前下線部１８と、冷気整流部材５の前面５ａに接する左右の前縦線部１９・１９と、冷気整流部材５の上面５ｂに接する左右の前上線部２０・２０とを有する。後部材１６は、後下線部２２と、冷気整流部材５の後面５ｃに接する左右の後縦線部２３・２３と、冷気整流部材５の上面５ｂに接する左右の後上線部２４・２４とを有する。左右の前上線部２０・２０と左右の後上線部２４・２４とは溶接してつなぐ。前縦線部１９・１９と後縦線部２３・２３とには、冷気整流部材５の下面５ｄを受ける受け部２５・２５がそれぞれ折り曲げ形成されている。【選択図】図１
2005211483.tif 000002
【特許請求の範囲】
【請求項１】
ショーケース本体１と、
ショーケース本体１に設けられて、前面が開口する陳列室２と、
陳列室２の開口前面にエアカーテンを形成するために、ショーケース本体１の陳列室２の上側に設けられて、冷気を下向きに吹き出す左右横長の冷気吹出口４と、
冷気吹出口４から下向きに吹き出す冷気の流れを整えるために、側面視が四角形の左右横長に形成されて、冷気吹出口４にこれの左右間にわたって装着されるハニカム構造の冷気整流部材５と、
冷気吹出口４にこれの下方から冷気整流部材５を着脱自在に取り付けるために冷気整流部材５の少なくとも左右２箇所に装着される取付具６とを含み、
取付具６は、それぞれ線材を折り曲げて形成される前部材１５と後部材１６とからなり、
前部材１５は、所定の左右長さを有する前下線部１８と、前下線部１８の左右端から上方に折り曲げ形成されて冷気整流部材５の前面５ａに接する左右の前縦線部１９・１９と、左右の前縦線部１９・１９の上端から後方に折り曲げ形成されて冷気整流部材５の上面５ｂに接する左右の前上線部２０・２０とを有し、
後部材１６は、所定の左右長さを有する後下線部２２と、後下線部２２の左右端から上方に折り曲げ形成されて冷気整流部材５の後面５ｃに接する左右の後縦線部２３・２３と、左右の後縦線部２３・２３の上端から前方に折り曲げ形成されて冷気整流部材５の上面５ｂに接する左右の後上線部２４・２４とを有し、
左右の前上線部２０・２０と左右の後上線部２４・２４とが接合されて、前部材１５と後部材１６とが一体につながっており、
前縦線部１９・１９と後縦線部２３・２３とには、少なくとも一方に冷気整流部材５の下面５ｄを受ける受け部２５が、折り曲げ形成されていることを特徴とするオープンショーケース。
【請求項２】
前縦線部１９・１９と後縦線部２３・２３との上下中間部位には、少なくとも一方に冷気吹出口４に対して抜け止め状に係合する係合突部２６が外向きに屈曲形成されている請求項１記載のオープンショーケース。
【発明の詳細な説明】
【技術分野】
【０００１】
本発明は、陳列室の開口前面にエアカーテンを形成するために、ショーケース本体の陳列室の上部に設けられて冷気を下向きに吹き出す冷気吹出口と、冷気吹出口にこれの左右間にわたって装着される冷気整流部材とを有するオープンショーケースに関する。
【背景技術】
【０００２】
特許文献１・２には、冷気吹出口にこれの下方から冷気整流部材を着脱自在に取り付けるために、冷気整流部材に装着される取付具が開示されている。
【０００３】
【特許文献１】特開平９−１０１０７４号公報（段落番号００１５−００２２、図１−３）
【特許文献２】特開平１１−２６４６４６号公報（段落番号００１５−００２２、図１−７）
【発明の開示】
【発明が解決しようとする課題】
【０００４】
特許文献１の取付具は、平板で形成してあるために、これが冷気整流部材の冷気通路を塞いで、エアカーテンを形成する気流の一部が乱れてしまう。冷気整流部材を冷気吹出口から取り外す際には取付具を下方に引っ張るが、取付具が滑り易い平板であるために指でつかみ難く、冷気整流部材を冷気吹出口から取り出し難いところに問題がある。
【０００５】
特許文献２では、線材からなる取付具の一端を冷気整流部材の冷気通路の壁面に引っ掛けて、取付具を冷気整流部材に係止しているため、冷気整流部材がわずかに弾性変形するだけで冷気整流部材から取付具が簡単に外れてしまう。この取付具は、下線部を下側に引っ張ると取付具の全体が傾いて、冷気整流部材を冷気吹出口から取り出し難くなるところにも問題がある。
【０００６】
そこで本発明の目的は、取付具を介して冷気整流部材が冷気吹出口から容易に取り出すことができ、冷気吹出口への冷気整流部材の脱着性能に優れるオープンショーケースを提供することにある。
【課題を解決するための手段】
【０００７】
本発明に係るオープンショーケースは、図２に示すごとくショーケース本体１と、ショーケース本体１に設けられて、前面が開口する陳列室２と、陳列室２の開口前面にエアカーテンを形成するために、ショーケース本体１の陳列室２の上側に設けられて、冷気を下向きに吹き出す左右横長の冷気吹出口４と、冷気吹出口４から下向きに吹き出す冷気の流れを整えるために、側面視が四角形の左右横長に形成されて、冷気吹出口４にこれの左右間にわたって装着されるハニカム構造の冷気整流部材５と、冷気吹出口４にこれの下方から冷気整流部材５を着脱自在に取り付けるために冷気整流部材５の少なくとも左右２箇所に装着される取付具６とを含んでいる。
【０００８】
本発明の取付具６は、図１に示すごとく、それぞれ線材を折り曲げて形成される前部材１５と後部材１６とからなる。
【０００９】
このうち、前部材１５は、図１に示すごとく、所定の左右長さを有する前下線部１８と、前下線部１８の左右端から上方に折り曲げ形成されて冷気整流部材５の前面５ａに接する左右の前縦線部１９・１９と、左右の前縦線部１９・１９の上端から後方に折り曲げ形成されて冷気整流部材５の上面５ｂに接する左右の前上線部２０・２０とを有する。
【００１０】
後部材１６は、図１に示すごとく、所定の左右長さを有する後下線部２２と、後下線部２２の左右端から上方に折り曲げ形成されて冷気整流部材５の後面５ｃに接する左右の後縦線部２３・２３と、左右の後縦線部２３・２３の上端から前方に折り曲げ形成されて冷気整流部材５の上面５ｂに接する左右の後上線部２４・２４とを有する。
【００１１】
左右の前上線部２０・２０と左右の後上線部２４・２４とを接合することにより、前部材１５と後部材１６とが一体につながっている。例えば、前部材１５と後部材１６とが針金製の場合は、前上線部２０と後縦線部２３とを溶接する。
【００１２】
そのうえで、前縦線部１９・１９と後縦線部２３・２３とには、少なくとも一方に冷気整流部材５の下面５ｄを受ける受け部２５が、折り曲げ形成されていることを特徴とする。
【００１３】
更に具体的に説明すると、前縦線部１９・１９と後縦線部２３・２３との上下中間部位には、少なくとも一方に冷気吹出口４に対して抜け止め状に係合する係合突部２６が外向きに屈曲形成されている。この係合突部２６は、冷気吹出口４に冷気整流部材５を確りとグラつきなく装着保持するよう機能する。
【発明の効果】
【００１４】
本発明によれば、冷気整流部材５の清掃に際し、取付具６の前下線部１８と後下線部２２とに指を引っ掛けて下方に引っ張るだけで、冷気整流部材５を取付具６と共に冷気吹出口４から容易に抜き出せるので、冷気吹出口４への冷気整流部材５の脱着性が向上する。
【００１５】
取付具６は線材で形成されているので、帯板状のものとは異なり、取付具６で冷気整流部材５の冷気通路がほとんど塞がれることがない。更に取付具６が冷気整流部材５に対してこれを抱き込む状態で確りと装着されているので、冷気整流部材５を冷気吹出口４から抜き外す際に、取付具６だけが抜け出したり、ガタついたりすることもない。
【発明を実施するための最良の形態】
【００１６】
図１ないし図３は、本発明に係るオープンショーケースを示しており、図２に示すごとく、ショーケース本体１と、ショーケース本体１に設けられて前面が開口する陳列室２と、陳列室２に配置した上下多段の陳列棚３と、陳列室２の上側に設けられた２つの冷気吹出口４・４と、各冷気吹出口４にこれの左右間にわたって装着される合成樹脂製のハニカム構造の冷気整流部材５と、各冷気整流部材５の左右２箇所に装着される取付具６・６（図１参照）と、陳列室２の下側に配した機械室７とを含んでいる。
【００１７】
陳列室２の天井面や陳列棚３の前端には照明具を有する。ケース本体１の外周壁を形成する断熱壁８と、陳列室２の周壁との間には、冷気を陳列室２内へ循環させる循環路９を設けてある。
【００１８】
循環路９内には、送風ファン１１および熱交換器１２を配してある。冷気吹出口４・４は、陳列室２の上側前部において内外（前後）に設けられており、陳列室２の下側前部には、前後に循環路９内に冷気を吸い込む冷気吸込口１３・１３を設けてある。各冷気吹出口４は、それぞれ左右横長に形成されており、ここに左右横長とした冷気整流部材５がそれぞれ着脱自在に装着されている。
【００１９】
熱交換器１２で冷却された冷気は、循環路９を通って冷気吹出口４・４から冷気整流部材５・５を介して整流された状態で下向きに吹き出され、陳列室２の開口前面にエアーカーテンを形成する。機械室７内には、熱交換器１２に接続される圧縮機や凝縮機や膨張弁などが配される。ケース本体１の前面上部には、操作スイッチおよび表示装置が配されており、操作スイッチで陳列室２内の温度や霜取り時間などを制御できる。
【００２０】
冷気整流部材５は、図１に示すごとく、前面５ａの上下高さが後面５ｃの上下高さよりも大きくなっており、側面視が四角形となる左右横長に形成されている。冷気整流部材５は、多数の六角形の縦長形状の冷気通路（セル）を前後左右に並べて形成してある。なお、冷気整流部材５の前面５ａおよび後面５ｃは、薄いシート体で覆われている。
【００２１】
各冷気整流部材５は、左右一対の取付具６・６で前後の各冷気吹出口４内にこれの下方から着脱自在に装着保持される。各取付具６は、それぞれ１本の弾性変形可能な線材を折り曲げ加工した前部材１５と後部材１６とからなり、前部材１５と後部材１６とを前後に並べて溶接（接合）することで、前部材１５と後部材１６とが一体につながっている。
【００２２】
図１において前部材１５は、所定の左右長さ（５cm）を有する前下線部１８と、前下線部１８の左右端から上方に折り曲げ形成されて冷気整流部材５の垂直状の前面５ａに接する左右の前縦線部１９・１９と、左右の前縦線部１９・１９の上端から後方に折り曲げ形成されて冷気整流部材５の平坦状の上面５ｂに接する左右の前上線部２０・２０とを有している。
【００２３】
後部材１６は、所定の左右長さ（６cm）を有する後下線部２２と、後下線部２２の左右端から後述する受け部２５を介して上方に折り曲げ形成されて冷気整流部材５の垂直状の後面５ｃに接する左右の後縦線部２３・２３と、左右の後縦線部２３・２３の上端から前方に折り曲げ形成されて冷気整流部材５の上面５ｂに接する左右の後上線部２４・２４とを有している。
【００２４】
左右の後上線部２４・２４の先端部２４ａ・２４ａは、それぞれ内向きの対向状に屈曲形成してあり、この先端部２４ａ・２４ａに前部材１５の左右の前上線部２０・２０の先端部２０ａ・２０ａをそれぞれ上下に重ねた状態でこの重ね部分を溶接してある。後上線部２４・２４の先端部２４ａ・２４ａを屈曲したことで、前上線部２０・２０と後上線部２４・２４との溶接作業を容易に行なえる。
【００２５】
前縦線部１９・１９と後縦線部２３・２３との下端側には、冷気整流部材５の下面５ｄの前後を受ける受け部２５が折り曲げ形成されている。前縦線部１９・１９は、前下線部１８の左右端から上方に僅かに立ち上げたのち、水平状の受け部２５・２５を前方に向けて折り曲げ形成してある。つまり、前縦線部１９・１９の下端近くに受け部２５・２５が形成されている。後部材１６においては、後下線部２２の左右端から水平状の受け部２５・２５を後方に向けて直角に折り曲げ形成し、この受け部２５・２５を介して後下線部２２の左右端から垂直状に立ち上げ形成されている。
【００２６】
前縦線部１９・１９と後縦線部２３・２３との上下中間部位には、冷気吹出口４に対して抜け止め状に係合する係合突部２６がそれぞれ外向きに屈曲形成されている。なお、後側の冷気吹出口４に配する取付具６は、後縦線部２３・２３のみに係合突部２６が形成されている。
【００２７】
前側の冷気吹出口４の前面には、図３に示すごとく、取付具６の前部材１５の係合突部２６が係合する左右横長の嵌合溝２８が形成されている。前後の各冷気吹出口４の後面には、取付具６の後部材１６の係合突部２６が係合する左右横長の嵌合溝２９が形成されている。
【００２８】
冷気整流部材５を冷気吹出口４に装着する際には、図３に示すごとく取付具６の前縦線部１９と後縦線部２３とを下端側が前後に開いた状態にして、取付具６を冷気整流部材５に装着する。冷気整流部材５の左右に一対の取付具６をそれぞれ装着したのち、冷気整流部材５を取付具６と共に冷気吹出口４に嵌め込む。このとき、取付具６の係合突部２６が冷気吹出口４の内壁面に当たって、係合突部２６が内向きに押し込まれた状態で、取付具６が冷気吹出口４に入り込む。
【００２９】
取付具６の係合突部２６が、冷気吹出口４の嵌合溝２８・２９に到達すると、取付具６の弾性復元力で係合突部２６が冷気吹出口４の嵌合溝２８・２９に嵌合する。これにより、冷気整流部材５が、取付具６によって各冷気吹出口４に保持される。
【００３０】
冷気整流部材５を冷気吹出口４から取り外す際には、取付具６の前下線部１８と後下線部２２とに指先を引っ掛けて下方に引っ張る。とくに、前部材１５においてこれの前下線部１８からの受け部２５の高さ分だけ前下線部１８は冷気整流部材５の下面５ｄから下方に突出しており、この前下線部１８に指先を掛け止め易い。すると、取付具６が一部弾性変形して係合突部２６が冷気吹出口４の嵌合溝２８・２９から外れ、更に取付具６を下方に引っ張ることにより、冷気整流部材５が取付具６と共に冷気吹出口４から取り出される。
【００３１】
冷気整流部材５に対して取付具６は３個以上装着してもよい。前部材１５と後部材１６とは、プラスチック材で形成されていてもよいし、両者１５・１６の材質を問わずに接着剤などで接合されていてもよい。
【００３２】
前部材１５の前縦線部１９および後部材１６の後縦線部２３の上下高さ寸法は、冷気整流部材５の前面５ａの上下高さ寸法および後面５ｃの上下高さ寸法に応じて任意に設定することができる。
【００３３】
受け部２５は、前部材１５と後部材１６とのいずれか一方のみに形成されていてもよい。前縦線部１９・１９と後縦線部２３・２３とには、これらの下端寄りに受け部２５が内向き対向状に折り曲げ形成されていてもよい。
【００３４】
後部材１６の後上線部２４の各先端部２４ａを屈曲形成することに代えて、前部材１５の前上線部２０の各先端部２０ａをそれぞれ内向き対向状に屈曲形成して、この先端部２０ａに後上線部２４の各先端部２４ａをそれぞれ重ねて溶接してあってもよい。
【図面の簡単な説明】
【００３５】
【図１】本発明に係る取付具の斜視図
【図２】オープンショーケースの断面図
【図３】冷気整流部材を取付具と共に冷気吸込口に装着する状態を説明する断面図
【符号の説明】
【００３６】
１  ケース本体
２  陳列室
４  冷気吹出口
５  冷気整流部材
６  取付具
１５  取付具の前部材
１６  取付具の後部材
１８  前下線部
１９  前縦線部
２０  前上線部
２２  後下線部
２３  後縦線部
２４  後上線部
２５  受け部
２６  係合突部
【図１】
2005211483.tif 000003
【図２】
2005211483.tif 000004
【図３】
2005211483.tif 000005